(57)【特許請求の範囲】
【請求項１】
全体の振幅電圧範囲（Ｈ）が電圧レベルの低い方から低電圧範囲（Ｈ１）、中電圧範囲（Ｈ２）、高電圧範囲（Ｈ３）に分けられた３つのアイパターン開口部による連続した範囲からなる既知パターンのＰＡＭ４信号を基準データとして被測定物（Ｗ）に入力し、前記基準データの入力に伴う前記被測定物からの信号を受信し、受信した信号に基づく入力データを表示する誤り率測定器のデータ表示装置（１）であって、
前記入力データと前記基準データとのシンボル比較結果を元に、前記低電圧範囲、前記中電圧範囲、前記高電圧範囲ごとのエラーがあるシンボルと前記全体の振幅電圧範囲で連続するエラーがあるシンボルをカウントするエラーカウント手段（７ａ）と、
前記エラーカウント手段にてカウントしたシンボルのエラーの頻度を各電圧範囲ごとに表示画面に数値表示する表示制御手段（７ｂ）とを備えたことを特徴とする誤り率測定器のデータ表示装置。
【請求項２】
前記表示制御手段（７ｂ）は、前記エラーカウント手段（７ａ）にてカウントしたエラーがあるシンボルの位置を識別表示することを特徴とする請求項１に記載の誤り率測定器のデータ表示装置。
【請求項３】
ユーザが指定するタイミング、特定パターンに含まれるエラーを検知したタイミング、前記被測定物（Ｗ）からの外部トリガのタイミング、エラーを検知したタイミングの何れかを設定タイミングとして前記入力データを取り込むことを特徴とする請求項１または２に記載の誤り率測定器のデータ表示装置。
【請求項４】
全体の振幅電圧範囲（Ｈ）が電圧レベルの低い方から低電圧範囲（Ｈ１）、中電圧範囲（Ｈ２）、高電圧範囲（Ｈ３）に分けられた３つのアイパターン開口部による連続した範囲からなる既知パターンのＰＡＭ４信号を基準データとして被測定物（Ｗ）に入力し、前記基準データの入力に伴う前記被測定物からの信号を受信し、受信した信号に基づく入力データを表示する誤り率測定器のエラーカウント方法であって、
前記入力データと前記基準データとのシンボル比較結果を元に、前記低電圧範囲、前記中電圧範囲、前記高電圧範囲ごとのエラーがシンボルと前記全体の振幅電圧範囲で連続するエラーがあるシンボルをカウントするステップと、
前記カウントしたシンボルのエラーの頻度を各電圧範囲ごとに表示画面に数値表示するステップとを含むことを特徴とする誤り率測定器のエラーカウント方法。
【請求項５】
前記エラーがあるシンボルの位置を識別表示するステップを含むことを特徴とする請求項４に記載の誤り率測定器のエラーカウント方法。
【請求項６】
ユーザが指定するタイミング、特定パターンに含まれるエラーを検知したタイミング、前記被測定物（Ｗ）からの外部トリガのタイミング、エラーを検知したタイミングの何れかを設定タイミングとして前記入力データを取り込むステップを含むことを特徴とする請求項４または５に記載の誤り率測定器のエラーカウント方法。
【発明の詳細な説明】
【技術分野】
【０００１】
本発明は、振幅をシンボルごとに４種類に分けた４値パルス振幅変調方式（以下、ＰＡＭ４方式）による既知パターンのＰＡＭ４信号を基準データとして被測定物に入力し、基準データの入力に伴う被測定物からの信号を受信し、受信した信号に基づくデータを表示する誤り率測定器のデータ表示装置及びシンボル比較結果を元にエラーがあるシンボルをカウントするエラーカウント方法に関する。
【背景技術】
【０００２】
例えば下記特許文献１に開示されるように、誤り率測定装置は、固定データを含む既知パターンのテスト信号を被測定物に送信し、このテスト信号の送信に伴って被測定物から折り返して受信した被測定信号と基準となる参照信号とをビット単位で比較してビット誤り率（ＢＥＲ：Bit Error Rate）を測定する装置として従来から知られている。
【先行技術文献】
【特許文献】
【０００３】
【特許文献１】特開２００７−２７４４７４号公報
【発明の概要】
【発明が解決しようとする課題】
【０００４】
しかしながら、上述した特許文献１に開示される装置のキャプチャ機能では、エラーカウントの機能を実装していないため、どの程度のエラーがあるのか判別できなかった。しかも、従来のキャプチャ機能では、被測定物からの被測定信号をキャプチャしてアイ開口部ごとにエラーカウントすることができないので、入力されたデータにおいてアイ開口部ごとにどの程度エラーが挿入されているのか把握できないという問題があった。
【０００５】
また、テスト信号に連続でエラーが挿入された場合、連続エラーの発生箇所をカウントすることができないため、連続エラーが発生しているか否かを判断できないという問題があった。
【０００６】
そこで、本発明は上記問題点に鑑みてなされたものであって、エラー量を把握することができる誤り率測定器のデータ表示装置及びエラーカウント方法を提供することを目的としている。
【課題を解決するための手段】
【０００７】
上記目的を達成するため、本発明の請求項１に記載された誤り率測定器のデータ表示装置は、全体の振幅電圧範囲Ｈが電圧レベルの低い方から低電圧範囲Ｈ１、中電圧範囲Ｈ２、高電圧範囲Ｈ３に分けられた３つのアイパターン開口部による連続した範囲からなる既知パターンのＰＡＭ４信号を基準データとして被測定物Ｗに入力し、前記基準データの入力に伴う前記被測定物からの信号を受信し、受信した信号に基づく入力データを表示する誤り率測定器のデータ表示装置１であって、
前記入力データと前記基準データとのシンボル比較結果を元に、前記低電圧範囲、前記中電圧範囲、前記高電圧範囲ごとのエラーがあるシンボルと前記全体の振幅電圧範囲で連続するエラーがあるシンボルをカウントするエラーカウント手段７ａと、
前記エラーカウント手段にてカウントしたシンボルのエラーの頻度を各電圧範囲ごとに表示画面に数値表示する表示制御手段７ｂとを備えたことを特徴とする。
【０００８】
本発明の請求項２に記載された誤り率測定器のデータ表示装置は、請求項１の誤り率測定器のデータ表示装置において、
前記表示制御手段７ｂは、前記エラーカウント手段７ａにてカウントしたエラーがあるシンボルの位置を識別表示することを特徴とする。
【０００９】
本発明の請求項３に記載された誤り率測定器のデータ表示装置は、請求項１または２の誤り率測定器のデータ表示装置において、
ユーザが指定するタイミング、特定パターンに含まれるエラーを検知したタイミング、前記被測定物Ｗからの外部トリガのタイミング、エラーを検知したタイミングの何れかを設定タイミングとして前記入力データを取り込むことを特徴とする。
【００１０】
本発明の請求項４に記載された誤り率測定器のエラーカウント方法は、全体の振幅電圧範囲Ｈが電圧レベルの低い方から低電圧範囲Ｈ１、中電圧範囲Ｈ２、高電圧範囲Ｈ３に分けられた３つのアイパターン開口部による連続した範囲からなる既知パターンのＰＡＭ４信号を基準データとして被測定物Ｗに入力し、前記基準データの入力に伴う前記被測定物からの信号を受信し、受信した信号に基づく入力データを表示する誤り率測定器のエラーカウント方法であって、
前記入力データと前記基準データとのシンボル比較結果を元に、前記低電圧範囲、前記中電圧範囲、前記高電圧範囲ごとのエラーがシンボルと前記全体の振幅電圧範囲で連続するエラーがあるシンボルをカウントするステップと、
前記カウントしたシンボルのエラーの頻度を各電圧範囲ごとに表示画面に数値表示するステップとを含むことを特徴とする。
【００１１】
本発明の請求項５に記載された誤り率測定器のエラーカウント方法は、請求項４の誤り率測定器のエラーカウント方法において、
前記エラーがあるシンボルの位置を識別表示するステップを含むことを特徴とする。
【００１２】
本発明の請求項６に記載された誤り率測定器のエラーカウント方法は、請求項４または５の誤り率測定器のエラーカウント方法において、
ユーザが指定するタイミング、特定パターンに含まれるエラーを検知したタイミング、前記被測定物（Ｗ）からの外部トリガのタイミング、エラーを検知したタイミングの何れかを設定タイミングとして前記入力データを取り込むステップを含むことを特徴とする。
【発明の効果】
【００１３】
本発明によれば、従来読み取りが不可能だったＰＡＭ４信号をキャプチャしてアイ開口部（低電圧範囲、中電圧範囲、高電圧範囲の各電圧範囲）ごとのエラーをカウントして各電圧範囲ごとのエラー量を数値で確認することができる。また、全体の振幅電圧範囲で連続するエラーがあるシンボルもカウントして数値表示するので、ＰＡＭ４信号のシンボルに連続でエラーが挿入された場合に、連続するエラーの発生箇所を把握することができる。
【図面の簡単な説明】
【００１４】
【図１】本発明に係るデータ表示装置の概略構成を示すブロック図である。
【図２】ＰＡＭ４信号の説明図である。
【図３】本発明に係るデータ表示装置のエラーカウント結果を含むキャプチャ画面の一例を示す図である。
【図４】本発明に係るデータ表示装置における入力データ、取得エラーデータ、基準データ、遷移名称、当該シンボルの波形に対する帯状表示の色彩、帯状表示の振幅方向の向き、帯状表示の振幅方向の高さおよび帯状表示例の対応テーブルの一例を示す図である。
【図５】本発明に係るデータ表示装置における波形イメージ表示、シンボル値表示、帯状表示の一例を示す図である。
【図６】本発明に係るデータ表示装置のエラーカウントの処理動作のフローチャートである。
【発明を実施するための形態】
【００１５】
以下、本発明を実施するための形態について、添付した図面を参照しながら詳細に説明する。
【００１６】
図１に示すように、本実施の形態のデータ表示装置１は、被測定物Ｗを信号パターン折り返しのステートに遷移させた状態で４値のシンボル値を持つ既知パターンのＰＡＭ４信号をテスト信号として被測定物Ｗを送信し、このテスト信号の送信に伴って被測定物Ｗから折り返して受信する入力データの誤り率を測定する誤り率測定装置１Ａとして構成される。
【００１７】
データ表示装置１は、被測定物Ｗへのテスト信号の送信に伴って被測定物Ｗから折り返して受信する入力データをキャプチャしてアイ開口部ごとにエラーカウントして表示するエラーカウント機能を有し、信号発生器２、誤り検出器３、操作部４、記憶部５、表示部６、制御部７を備える。
【００１８】
信号発生器２は、図１に示すように、第１信号発生部２ａ、第２信号発生部２ｂ、信号合成出力部２ｃを備えて概略構成され、多値信号として、所望のシンボル列（０、１、２、３のシンボル値からなるシンボルの列）のデータからなるＰＡＭ４信号を発生する。
【００１９】
ＰＡＭ４信号は、振幅がシンボルごとに４種類に分けられ、図２に示すように、４つの異なる振幅の電圧レベルＶ１，Ｖ２，Ｖ３，Ｖ４を有し、全体の振幅電圧範囲Ｈが電圧レベルの低い方から低電圧範囲Ｈ１、中電圧範囲Ｈ２、高電圧範囲Ｈ３に分けられ、３つのアイパターン開口部による連続した範囲からなる。
【００２０】
第１信号発生部２ａは、固定データを含む既知パターンからなる所望のＰＡＭ４シンボル列を発生するにあたり、第２信号発生部２ｂが生成する最下位ビット列信号（ＬＳＢ：Least Significant Bit ）と足し合わせてＰＡＭ４信号を生成するための最上位ビット列信号（ＭＳＢ：Most Significant Bit）を生成する。
【００２１】
第２信号発生部２ｂは、第１信号発生部２ａが生成する最上位ビット列信号と足し合わせてＰＡＭ４信号を生成するための最下位ビット列信号を生成する。
【００２２】
第１信号発生部２ａ、第２信号発生部２ｂが発生する具体的なビット列信号としては、例えばＰＲＢＳ７（パターン長：２7 −１）、ＰＲＢＳ９（パターン長：２9 −１）、ＰＲＢＳ１０（パターン長：２10−１）、ＰＲＢＳ１１（パターン長：２11−１）、ＰＲＢＳ１５（パターン長：２15−１）、ＰＲＢＳ２０（パターン長：２20−１）などの各種疑似ランダムパターン（ＰＲＢＳ：Pseudo Random Bit Sequence）といった周期パターンや、ＰＲＢＳ１３Ｑ、ＰＲＢＳ３１Ｑ、ＳＳＰＲＱなどのＰＡＭを評価するための評価用パターンがある。
【００２３】
信号合成出力部２ｃは、第１信号発生部２ａが発生する最上位ビット列信号と第２信号発生部２ｂが発生する最下位ビット列信号とを足し合わせてＰＡＭ４信号を出力する。このＰＡＭ４信号は、被測定物Ｗの誤り率などを測定する際、既知パターンのテスト信号として被測定物Ｗに入力される。
【００２４】
誤り検出器３は、信号発生器２から既知パターンのテスト信号として基準データであるＰＡＭ４信号が被測定物Ｗに入力されたときに、このＰＡＭ４信号の入力に伴って被測定物Ｗから出力される信号を受けて誤り率などを測定するもので、図１に示すように、信号受信部３ａ、同期検出部３ｂ、位置情報記憶部３ｃ、シンボル比較部３ｄ、比較結果データ記憶部３ｅを備える。
【００２５】
信号受信部３ａは、被測定物Ｗから受信したＰＡＭ４信号を所定のサンプリング周期でサンプリングしてシンボル列（０、１、２、３のシンボル値からなるシンボルの列）に変換する。この信号受信部３ａにて変換されたシンボル列のデータ（以下、シンボルデータとも言う）は、同期検出部３ｂに入力される。
【００２６】
同期検出部３ｂは、操作部４にて予め設定される設定タイミングにより、記憶部５から読み込んだ基準となるＰＡＭ４信号のシンボル列のデータである基準データと、被測定物Ｗから受信して信号受信部３ａから出力されるＰＡＭ４信号のシンボルデータとの同期を取って取り込み、取り込んだ入力データとなるシンボルデータをシンボル比較部３ｄに出力する。
【００２７】
設定タイミングは、例えば表示部６の不図示の設定画面上で操作部４にて予め設定され、例えばエラーを含む特定パターンと一致するパターンのシンボルデータを受信するタイミング、被測定物Ｗがトリガー信号を発生するタイミング、ユーザの指示（例えばボタン操作）によりトリガー信号を発生するタイミング、エラーを検知したタイミングである。
【００２８】
同期検出部３ｂは、同期が取れたときにその旨をシンボル比較部３ｄへ通知するとともに、同期が取れたときの基準データにおけるシンボルの位置を表す同期位置を位置情報記憶部３ｃに記憶させる。
【００２９】
位置情報記憶部３ｃは、同期検出部３ｂにて基準データと信号受信部３ａからのＰＡＭ４信号のシンボルデータとの同期が取れたときに、同期が取れたときの基準データにおけるシンボルの位置を表す同期位置を記憶する。
【００３０】
シンボル比較部３ｄは、同期検出部３ｂで同期が取れた後、操作部４を介したユーザなどの指示により、誤り率の測定を開始するときの位置にある基準データのシンボルから順に、同期検出部３ｂから出力されたシンボル列である入力データ（被測定物Ｗから受信したＰＡＭ４シンボルデータ）と基準データのシンボル列とを順次比較してエラーがあるシンボルを検出する。シンボル比較部３ｄは、例えば、基準データのシンボルから入力データのシンボルを引き算する差分の算出を行い、基準データに対する入力データのシンボル遷移量を算出し、入力データと基準データの排他的論理和（ＸＯＲ）をとることで誤っているシンボル位置を表す取得エラーデータを取得し、図４に示すテーブルに基づき遷移名称を決定し、比較結果データを生成する。
【００３１】
シンボル比較部３ｄは、操作部４から波形イメージ表示開始操作がされるか、波形イメージ表示条件を満たすと、表示開始操作に応じて、または表示開始条件を満たす基準データのシンボルの位置の位置情報を同期位置とともに位置情報記憶部３ｃに記憶させる。合わせて、同期位置の位置情報をたとえば０とし、次のシンボルの位置情報を１、２、３、・・・といった追番として、それぞれの比較結果データとそれぞれの位置情報とを紐づけるよう位置情報記憶部３ｃに記憶させる。
【００３２】
なお、波形イメージ表示開始条件とは、例えば、予め設定したシンボル遷移が発生した場合、シンボル遷移が予め設定した所定数連続で発生した場合などをいう。
【００３３】
シンボル比較部３ｄは、操作部４から波形イメージ表示停止操作がされるか、波形イメージ表示停止条件を満たすと、表示停止操作に応じて、または表示停止条件を満たす基準データのシンボルの位置の位置情報を位置情報記憶部３ｃに記憶させる。
【００３４】
なお、波形イメージ表示停止条件とは、例えば、シンボル遷移が予め設定した所定数連続で発生しない場合などをいう。
【００３５】
比較結果データ記憶部３ｅは、基準データと同期が取れたシンボルデータとともにシンボル比較部３ｄによる比較結果データを記憶する。比較結果データは、入力データのシンボルのそれぞれにおいて、基準データと比較してエラーのないシンボル、すなわちシンボル遷移がないことを示す遷移名称、および基準データと比較してエラーのあるシンボルにおいて、例えば、ＰＡＭ４信号の４つのＰＡＭシンボルの各シンボルごとの遷移量と遷移方向に基づく複数の遷移名称というシンボル遷移を区別するための情報を含む。
【００３６】
操作部４は、設定手段としても機能するものであり、図１のデータ表示装置１に備える例えば操作ノブ、各種キー、スイッチ、ボタンや表示部６の表示画面上のソフトキーなどのユーザインタフェースで構成される。操作部４は、設定タイミングの設定、表示部６の表示画面（図３のキャプチャ画面６ａ）上に表示されるシンボルデータのブロックの指定、ボーレート、シンボル列の発生条件などの設定、誤り率測定の開始・終了の指示などＰＡＭ４信号の誤り率測定に関わる各種設定を行う。
【００３７】
記憶部５は、信号合成出力部２ｃからの既知パターンのテスト信号として被測定物Ｗに入力するＰＡＭ４信号のシンボル列（０、１、２、３のシンボル値からなるシンボルの列）を記憶する。この既知パターンのテスト信号として被測定物Ｗに入力するＰＡＭ４信号のシンボル列は、被測定物Ｗから受信した信号から生成する入力データと比較するときの基準となる基準データとなっている。
【００３８】
記憶部５は、設定タイミング、ボーレート、シンボル列の発生条件や、波形イメージ表示開始条件、波形イメージ表示停止条件などの情報を記憶する。これらの情報は、操作部４によりユーザインタフェースを介して適宜選択設定することができる。
【００３９】
記憶部５は、制御部７の後述するエラーカウント手段７ａによるエラーカウントの結果（低電圧範囲Ｈ１、中電圧範囲Ｈ２、高電圧範囲Ｈ３ごとのエラーがあるシンボルの総数、全体の振幅電圧範囲Ｈで連続するエラーがあるシンボルの総数）を記憶する。
【００４０】
なお、制御部７や、第１信号発生部２ａと第２信号発生部２ｂにおいて、テスト信号となるＰＡＭ４信号のシンボル列を把握できる場合は、制御部７や、第１信号発生部２ａと第２信号発生部２ｂから記憶部５へと既知パターンのテスト信号であるＰＡＭ４信号のシンボル列、すなわち基準データを記憶するように構成してもよい。
【００４１】
表示部６は、図１のデータ表示装置１に備える例えば液晶表示器などで構成され、誤り率測定に関わる設定画面、各コンプライアンステスト（被測定物Ｗが通信規格に適合するか否かの試験）や誤り率の測定画面などを表示する。また、表示部６は、表示画面上のソフトキーなどの操作部４の操作機能を兼ね備えている。
【００４２】
表示部６は、後述する表示制御手段７ａの制御により、比較結果データ記憶部３ｅに記憶されたシンボルデータをブロック単位でキャプチャ画面６ａに表示する。本実施の形態では、表示部６の１つの表示領域（スクロール表示を含む表示サイズ）に表示可能なシンボルデータの塊を１ブロックとしている。例えば割り当てられる記憶容量が８Ｍｂｉｔｓ（シンボルデータの４Ｍｓｙｍｂｏｌに相当）で表示部６の１つの表示領域に表示可能なシンボルデータの塊を１ブロックとした場合、１ブロック＝６５５３６ビット＝３２７６８シンボルとして、４Ｍｓｙｍｂｏｌのシンボルデータを予め設定される所定の分割数（１，２，４，８，１６，３２，６４，１２８の何れかの分割数）で分割して比較結果データ記憶部３ｅに記憶する。
【００４３】
なお、シンボルデータの最大分割数は、比較結果データ記憶部３ｅに割り当てられる記憶容量に応じて決まる。例えば比較結果データ記憶部３ｅに割り当てられる記憶容量が８Ｍｂｉｔｓであれば、シンボルデータの最大分割数は１２８分割となる。
【００４４】
図３は表示部６のキャプチャ画面６ａの一例を示している。図３のキャプチャ画面６ａの右側上部の領域には、「Ｂｌｏｃｋ」と「Ｂｌｏｃｋ  Ｌｅｎｇｔｈ」が表示される。「Ｂｌｏｃｋ」には、キャプチャ画面６ａに表示するシンボルデータが何番目のブロックかを数値入力するための入力ボックス１１が表示される。「Ｂｌｏｃｋ  Ｌｅｎｇｔｈ」には、１ブロック分のシンボルデータのサイズ（長さ）が表示される。図３の例では、「Ｂｌｏｃｋ」の入力ボックス１１に「１」が入力され、「Ｂｌｏｃｋ  Ｌｅｎｇｔｈ」が「３２７６８」ｓｙｍｂｏｌと表示されている状態を示している。なお、「Ｂｌｏｃｋ」の入力ボックス１１には、記憶部５の記憶容量に応じて決まるブロックの分割数（例えば１〜１２８）まで設定入力可能である。
【００４５】
キャプチャ画面６ａの「Ｂｌｏｃｋ  Ｌｅｎｇｔｈ」の下の領域には、デバッグ用途として用いられる「Ｖｉｅｗｅｒ  Ｍｏｄｅ」（閲覧モード）が表示される。「Ｖｉｅｗｅｒ  Ｍｏｄｅ」の「Ｎｏｔａｔｉｏｎ」には、キャプチャ画面６ａ上に表示するデータの表記（「Ｂｉｎ」（ＮＲＺモードのみ）、「Ｈｅｘ」（ＮＲＺモードのみ）、「Ｓｙｍｂｏｌ」（ＰＡＭ４モードのみ））を指定する入力ボックス１２が表示される。「Ｖｉｅｗｅｒ  Ｍｏｄｅ」の「Ｆｏｒｍａｔ」には、キャプチャ画面６ａ上のデータの表示形式（「Ｐａｔｔｅｒｎ」（シンボル値表示のパターンデータのみ）、「Ｐａｔｔｅｒｎ＋Ｗａｖｅｆｏｒｍ」（図５に示すように、シンボル値表示のパターンデータ上に例えば青線による波形イメージ表示を行う））を指定する入力ボックス１３が表示される。これらデータの表記と表示形式は、それぞれのプルダウンメニューから選択設定される。図３の例では、「Ｎｏｔａｔｉｏｎ」の入力ボックス１２のプルダウンメニューから「Ｓｙｍｂｏｌ（ＰＡＭ４）」が選択され、「Ｆｏｒｍａｔ」の入力ボックス１３のプルダウンメニューから「Ｐａｔｔｅｒｎ」が選択されている状態を示している。
【００４６】
キャプチャ画面６ａの「Ｖｉｅｗｅｒ  Ｍｏｄｅ」の下の領域には、「Ｅｒｒｏｒ」が表示される。「Ｅｒｒｏｒ」には、エラーがあったシンボルの遷移に対応した色で表示するためのチェックボックス１４，１５，１６，１７，１８，１９がシンボルの遷移ごとに表示される。図３の例では、赤色で表示するＬｏｗｅｒ（低電圧範囲Ｈ１）：「０」→「１」または「１」→「０」のシンボルの遷移のチェックボックス１４、黄色で表示するＭｉｄｄｌｅ（中電圧範囲Ｈ２）：「１」→「２」または「２」→「１」のシンボルの遷移のチェックボックス１５、青色で表示するＵｐｐｅｒ（高電圧範囲Ｈ３）：「２」→「３」または「３」→「２」のシンボルの遷移のチェックボックス１６、橙色で表示するＭｉｄｄｌｅ（中電圧範囲Ｈ２）／Ｌｏｗｅｒ（低電圧範囲Ｈ１）：「０」→「２」または「２」→「０」のシンボルの遷移のチェックボックス１７、緑色で表示するＵｐｐｅｒ（高電圧範囲Ｈ３）／Ｍｉｄｄｌｅ（中電圧範囲Ｈ２）：「１」→「３」または「３」→「１」のシンボルの遷移のチェックボックス１８、紫色で表示するＵｐｐｅｒ（高電圧範囲Ｈ３）／Ｍｉｄｄｌｅ（中電圧範囲Ｈ２）／Ｌｏｗｅｒ（低電圧範囲Ｈ１）：「０」→「３」または「３」→「０」のシンボルの遷移のチェックボックス１９にそれぞれチェックが入った状態を示している。
【００４７】
キャプチャ画面６ａの「Ｅｒｒｏｒ」の下の領域には、特定パターンを検索するための「Ｍｏｖｅ  ａｎｄ  Ｓｅａｒｃｈ」が表示される。「Ｍｏｖｅ  ａｎｄ  Ｓｅａｒｃｈ」には、検索対象の特定パターンを入力するための入力ボックス２０が表示され、虫眼鏡ボタン２１により前後の検索を行う。
【００４８】
キャプチャ画面６ａの「Ｍｏｖｅ  ａｎｄ  Ｓｅａｒｃｈ」の下の領域には、「Ｅｒｒｏｒ  Ｓｅａｒｃｈ」が表示される。「Ｅｒｒｏｒ  Ｓｅａｒｃｈ」には、エラー検索条件を設定するための「Ｃｏｎｔｉｎｕｏｕｓ  Ｅｒｒｏｒ」と「Ｔａｒｇｅｔ」が表示される。「Ｃｏｎｔｉｎｕｏｕｓ  Ｅｒｒｏｒ」には、エラー検索対象のシンボルを等号（＝）、等号付き不等号（≧）、数字を用いて設定するための入力ボックス２２，２３が表示される。「Ｔａｒｇｅｔ」には、エラー検索対象の電圧範囲（全体の振幅電圧範囲Ｈ、低電圧範囲Ｈ１、中電圧範囲Ｈ２、高電圧範囲Ｈ３の何れか）をプルダウンメニューから選択設定するための入力ボックス２４が表示される。図３の例では、エラー検索条件として、入力ボックス２２に「≧」が入力され、入力ボックス２３に「１」が入力され、入力ボックス２４に「Ａｌｌ（全体の振幅電圧範囲Ｈ）」が入力されており、全体の振幅電圧範囲Ｈで１シンボル以上の全てのエラーがエラー検索条件（エラー検索対象）として設定された状態を示している。
【００４９】
「Ｔａｒｇｅｔ」の下の領域には、キャプチャ画面６ａ上のカーソルを先頭のエラーのシンボルの位置に移動するためのソフトキー２５、キャプチャ画面６ａ上のカーソルを１つ前のエラーのシンボルの位置に移動するためのソフトキー２６、キャプチャ画面６ａ上のカーソルを１つ後のエラーのシンボルの位置に移動するためのソフトキー２７、キャプチャ画面６ａ上のカーソルを最後のエラーのシンボルの位置に移動するためのソフトキー２８が表示される。
【００５０】
キャプチャ画面６ａの「Ｂｌｏｃｋ  Ｌｅｎｇｔｈ」の左側のデータ表示領域２９には、表示上の縦軸をアドレス、横軸をシンボルとして、入力データに基づく１ブロック分のシンボルデータが表示される。図３の例では、１ブロック分のシンボルデータとして３２７６８シンボルのシンボルデータの一部がデータ表示領域２９に表示されている状態を示している。なお、データ表示領域２９に表示しきれないシンボルデータは、右側のスクロールバー３０を用いることによりデータ表示領域２９に表示させて確認することができる。
【００５１】
キャプチャ画面６ａにおけるデータ表示領域２９の下部には、最初のブロックのシンボルデータをデータ表示領域２９に表示するように指示するソフトキー３１、１つ前のブロックのシンボルデータをデータ表示領域２９に表示するように指示するソフトキー３２、１つ後のブロックのシンボルデータをデータ表示領域２９に表示するように指示するソフトキー３３、最後のブロックのシンボルデータをデータ表示領域２９に表示するように指示するソフトキー３４が表示される。
【００５２】
キャプチャ画面６ａの下部の領域には、エラーカウントの結果として、「Ｆｉｒｓｔ  Ｅｒｒｏｒ  Ｂｌｏｃｋ／Ａｄｄｒｅｓｓ」、「Ｌａｓｔ  Ｅｒｒｏｒ  Ｂｌｏｃｋ／Ａｄｄｒｅｓｓ」、「Ｅｒｒｏｒ  Ｃｏｕｎｔｓ  Ｕｐｐｅｒ／Ｍｉｄｄｌｅ／Ｌｏｗｅｒ」、「Ｃｏｎｔｉｎｕｏｕｓ  Ｅｒｒｏｒ  Ｃｏｕｎｔｓ」、「Ｃａｐｔｕｒｅ  Ｄｅｐｔｈ」が表示される。「Ｆｉｒｓｔ  Ｅｒｒｏｒ  Ｂｌｏｃｋ／Ａｄｄｒｅｓｓ」の表示ボックス３５には、最初にエラーが起こった箇所のブロックとアドレスが表示される。「Ｌａｓｔ  Ｅｒｒｏｒ  Ｂｌｏｃｋ／Ａｄｄｒｅｓｓ」の表示ボックス３６には、最後にエラーが起こった箇所のブロックとアドレスが表示される。「Ｅｒｒｏｒ  Ｃｏｕｎｔｓ  Ｕｐｐｅｒ／Ｍｉｄｄｌｅ／Ｌｏｗｅｒ」の表示ボックス３７には、低電圧範囲Ｈ１、中電圧範囲Ｈ２、高電圧範囲Ｈ３ごとのエラーがあるシンボルの総数が表示される。「Ｃｏｎｔｉｎｕｏｕｓ  Ｅｒｒｏｒ  Ｃｏｕｎｔｓ」の表示ボックス３８には、全体の振幅電圧範囲Ｈで連続するエラーがあるシンボルの総数が表示される。「Ｃａｐｔｕｒｅ  Ｄｅｐｔｈ」の表示ボックス３９には、キャプチャ取得ビット数が表示される。
【００５３】
制御部７は、ＰＡＭ４信号の誤り率を測定するため、例えば中央処理装置（ＣＰＵ）、ＲＯＭ、ＲＡＭなどの記憶素子から構成され、信号発生器２、誤り検出器３、操作部４、記憶部５、表示部６を統括制御するもので、エラーカウント手段７ａ、表示制御手段７ｂを備える。
【００５４】
エラーカウント手段７ａは、比較結果データ記憶部３ｅに記憶された比較結果に基づくシンボルデータを元に、低電圧範囲Ｈ１、中電圧範囲Ｈ２、高電圧範囲Ｈ３ごとのエラー（連続するエラーを含む全てのエラー）があるシンボルと全体の振幅電圧範囲Ｈで連続するエラー（予め指定されたシンボル数以上の全ての連続するエラー）があるシンボルをカウントする。
【００５５】
表示制御手段７ｂは、エラーカウント手段７ａの結果に基づいて各電圧範囲（低電圧範囲Ｈ１、中電圧範囲Ｈ２、高電圧範囲Ｈ３、全体の振幅電圧範囲Ｈ）ごとにエラーがあるシンボルの頻度を表示画面に数値表示する。具体的には、図３に示すように、キャプチャ画面６ａの「Ｅｒｒｏｒ  Ｃｏｕｎｔｓ  Ｕｐｐｅｒ／Ｍｉｄｄｌｅ／Ｌｏｗｅｒ」の表示ボックス３７に低電圧範囲Ｈ１、中電圧範囲Ｈ２、高電圧範囲Ｈ３ごとのエラーがあるシンボルの総数が表示され、「Ｃｏｎｔｉｎｕｏｕｓ  Ｅｒｒｏｒ  Ｃｏｕｎｔｓ」の表示ボックス３８に全体の振幅電圧範囲Ｈで連続するエラーがあるシンボルの総数が表示される。図３の例では、低電圧範囲Ｈ１でエラーがあるシンボルの総数：「６２６６」、中電圧範囲Ｈ２でエラーがあるシンボルの総数：「１２５２２」、高電圧範囲Ｈ３でエラーがあるシンボルの総数：「６２５６」、全体の振幅電圧範囲Ｈで連続するエラーがあるシンボルの総数：「１２５２２」が表示された状態を示している。
【００５６】
表示制御手段７ｂは、エラーカウント手段７ａの結果に基づいてエラーがあるシンボルの位置を識別表示する。具体的には、エラーカウント手段７ａの結果に基づいてエラーがあるシンボルの位置を図４のテーブルの帯状表示例（表示形態例）に従って識別表示する。図３の例では、図４のテーブルの帯状表示例（表示形態例）に従い、キャプチャ画面６ａのデータ表示領域２９のアドレス「５０」のシンボル「２」が橙色、アドレス「１０６」のシンボル「１」が緑色、アドレス「５６２」のシンボル「３」が緑色で識別表示された状態を示している。
【００５７】
表示制御手段７ｂは、シンボル比較部３ｄの入力データのシンボル値に基づいて、シンボル値表示および波形イメージ表示を表示部６に表示する。さらに説明すると、シンボル値表示は、図５に示すように、入力データの０、１、２、３のシンボル値の数字を、波形イメージの対応するそれぞれのシンボル値に合わせて表示部６に表示する。また、波形イメージ表示は、図５に示すように、入力データの０、１、２、３のシンボル値にそれぞれ合わせた振幅方向の高さ、各シンボル値ごとの時間軸方向の横幅となるように表示部６に表示する。その際、表示されるシンボル値表示の数字に縁取りなどを行い、表示画面の背景の色彩や模様、波形イメージ表示の波形の線種、色彩に対して、数字の見易さを損なわないようにする。また、シンボル値表示の数字と波形イメージ表示の波形の色彩をそれぞれ違い色彩とすることが望ましい。また、波形イメージ表示の波形がシンボル値表示の数字と重なるときには波形イメージの該当の波形の線を点線などとして数字が見やすい線種となるように表示するようにしてもよい。なお、シンボル値表示と、波形イメージ表示の実行順序は順不同の構成や同時実行の構成としてもよい。
【００５８】
表示制御手段７ｂは、比較データ記憶部３ｄの比較結果データに基づいて、入力データの波形イメージ表示に対し、例えば図４の帯状表示例に従い、それぞれのシンボルの遷移名称に対応して、当該シンボルの波形に対する帯状表示の色彩、帯状表示の振幅方向の向き、帯状表示の振幅方向の高さとなるように重ねて識別表示する。
【００５９】
なお、シンボル値表示と、波形イメージ表示および帯状表示の実行順序は順不同の構成や同時実行の構成としてもよい。さらに、シンボル値表示と、波形イメージ表示がされた状態で、操作部４からのユーザの操作により帯状表示を任意に表示、非表示するようにしてもよい。
【００６０】
また、シンボル遷移の種類は１２種類あるため、１２色の色分けをすると色数が多く、一目でどのようなエラーが入ったか、すなわちどのようなシンボル遷移が生じたかが分かりにくいことから、図４に示すように、表示形態として、例えばシンボル０から１へのシンボル遷移と、シンボル１から０へのシンボル遷移は赤色の同色彩で統一し、例えばシンボル１から２へのシンボル遷移と、シンボル２から１へのシンボル遷移は黄色の同色彩で統一し、他のシンボル遷移についても、シンボル値の数字が相互に入れ替わる関係の場合には同色彩で統一するようにしてもよい。これにより、図４の例の場合には、シンボル値の数字が相互に入れ替わる関係を同色彩とすることで６色の色分けとなり、どのようなシンボル遷移が生じたかに加え、そのアイ開口部の１つまたは複数にまたがってエラーが挿入されるようにシンボルが遷移していることが容易に判別可能となる。
【００６１】
さらに、シンボル値の数字が相互に入れ替わる関係においては、表示形態として、帯状表示の輝度、透明度または点滅周期は、それぞれ同輝度、同透明度または同点滅周期で統一するようにしてもよい。同様にして、シンボルエラーがある入力データの位置のシンボルに対しても、帯状表示を行う。これらの表示例の一例を図４の帯状表示例にそれぞれ示す。また、各遷移名称に対応する帯状表示の表示形態は、色彩による識別に限られず、輝度、透明度または点滅周期の差異による識別や、またはこれらの組み合わせであってもよい。
【００６２】
なお、波形イメージ表示開始操作、波形イメージ表示条件、波形イメージ表示停止操作、波形イメージ表示停止条件は、例えば、特定パターンのあるシンボル列を検出した場合、一定の周期ごとに現れるシンボル列を検出した場合、または、既知の通信プロトコルに準拠したデータの開始フラグなどを検出した場合などを含む。
【００６３】
次に、上記のように構成されるデータ表示装置１のエラーカウントの処理動作について図６を参照しながら説明する。
【００６４】
信号発生器２は、エラーを挿入した既知パターンのＰＡＭ４信号による基準データを被測定物Ｗに入力する（ＳＴ１）。信号受信部３ａは、被測定物Ｗに基準データが入力されると、基準データの入力に伴って被測定物Ｗから受信したＰＡＭ４信号を所定のサンプリング周期でサンプリングしてシンボル列に変換する（ＳＴ２）。
【００６５】
続いて、同期検出部３ｂは、予め設定された設定タイミングにて基準となるＰＡＭ４信号のシンボル列のデータである基準データと、被測定物Ｗから受信したＰＡＭ４信号に基づくシンボルデータとの同期を取る（ＳＴ３）。そして、同期が取れたときの基準データにおけるシンボルの位置を表す同期位置を位置情報記憶部３ｃに記憶するとともに、入力データとなるシンボルデータを出力する。
【００６６】
その後、シンボル比較部３ｄは、操作部４を介したユーザなどの指示により、誤り率の測定を開始するときの位置にあるシンボルから順に、同期されたシンボルと基準データとを順次比較する（ＳＴ４）。そして、エラーのあるシンボルを検出するとともに、比較した結果である比較結果データを比較結果データ記憶部３ｅに記憶する。
【００６７】
続いて、エラーカウント手段７ａは、比較結果データ記憶部３ｅに記憶された比較結果に基づくシンボル列から低電圧範囲Ｈ１、中電圧範囲Ｈ２、高電圧範囲Ｈ３ごとにエラーがあるシンボルをカウントするとともに全体の振幅電圧範囲Ｈで連続するエラーがあるシンボルをカウントする（ＳＴ５）。
【００６８】
そして、表示部６は、表示制御手段７ｂの制御により、エラーカウント手段７ａの結果に基づいて全体の振幅電圧範囲Ｈ、低電圧範囲Ｈ１、中電圧範囲Ｈ２、高電圧範囲Ｈ３のエラーがあるシンボルの頻度を表示画面に数値表示する（ＳＴ６）。例えば図３のキャプチャ画面６ａの「Ｅｒｒｏｒ  Ｃｏｕｎｔｓ  Ｕｐｐｅｒ／Ｍｉｄｄｌｅ／Ｌｏｗｅｒ」の表示ボックス３７に低電圧範囲Ｈ１、中電圧範囲Ｈ２、高電圧範囲Ｈ３ごとにエラーがあるシンボルの総数を表示し、「Ｃｏｎｔｉｎｕｏｕｓ  Ｅｒｒｏｒ  Ｃｏｕｎｔｓ」の表示ボックス３８に全体の振幅電圧範囲Ｈで連続するエラーがあるシンボルの総数を表示する。
【００６９】
また、表示部６は、表示制御手段７ｂの制御により、エラーカウント手段７ａの結果に基づいてエラーがあるシンボルの位置を識別表示する（ＳＴ７）。例えば図３のキャプチャ画面６ａのデータ表示領域２９のアドレス「５０」のシンボル「２」、アドレス「１０６」のシンボル「１」、アドレス「５６２」のシンボル「３」がそれぞれエラーがあるシンボルの場合、図４のテーブルの帯状表示例（表示形態例）に従ってアドレス「５０」のシンボル「２」を橙色、アドレス「１０６」のシンボル「１」を緑色、アドレス「５６２」のシンボル「３」を緑色で識別表示する。
【００７０】
さらに、表示部６は、キャプチャ画面６ａにおいて「Ｖｉｅｗｅｒ  Ｍｏｄｅ」の「Ｎｏｔａｔｉｏｎ」が「Ｓｙｍｂｏｌ」、「Ｆｏｒｍａｔ」が「Ｐａｔｔｅｒｎ＋Ｗａｖｅｆｏｒｍ」に設定されている場合には、表示制御手段７ａの制御により、例えば図５に示すように、入力データのシンボル値に基づいて、シンボル値表示および波形イメージ表示を表示し、図４の帯状表示例に従い、それぞれのシンボルの遷移名称に対応して、当該シンボルの波形に対する帯状表示の色彩、帯状表示の振幅方向の向き、帯状表示の振幅方向の高さとなるように重ねて識別表示する。例えば図５では、左から２番目の入力データと取得エラーデータのシンボルが１（０１）であり、入力データのシンボルが基準データ０（００）から１（０１）へとシンボル遷移しているので、図４に示すように、遷移名称は「Ａ２」となる。そして、この遷移名称「Ａ２」に対応する帯状表示の色彩は「赤」、帯状表示の振幅方向の向きは「下」、帯状表示の振幅方向の高さは「１電圧範囲」となる。これにより、左から２番目の位置の波形イメージ表示に対し、線状の波形に対して１電圧範囲で下向きの赤色の帯状表示を行う。
【００７１】
なお、キャプチャ画面６ａにおいて「Ｖｉｅｗｅｒ  Ｍｏｄｅ」の「Ｎｏｔａｔｉｏｎ」が「Ｓｙｍｂｏｌ」、「Ｆｏｒｍａｔ」が「Ｐａｔｔｅｒｎ」に設定されている場合には、シンボル値表示に対し、エラーのあるシンボルについて図４の帯状表示例に従って帯状表示を行う（図５の波形イメージ表示がない状態）。
【００７２】
ところで、上述した実施の形態では、上述した実施の形態では、図１に示すように、データ表示装置１（誤り率測定装置１Ａ）に信号発生器２、誤り検出器３、操作部４、記憶部５、表示部６、制御部７が含まれる構成としたが、この構成に限定されるものではない。例えば、信号発生器２と誤り検出器３をそれぞれ別々にモジュール化または個別筐体とし、操作部４、表示部６を外部に接続したパーソナルコンピュータなどの外部装置で構成することもできる。
【００７３】
このように、本実施の形態によれば、入力されるＰＡＭ４信号の誤り率を測定するにあたって、ＰＡＭ４信号のアイ開口部（低電圧範囲Ｈ１、中電圧範囲Ｈ２、高電圧範囲Ｈ３の各電圧範囲）ごとにエラーのシンボルをカウントして数値表示するエラーカウント機能を備えるので、従来読み取りが不可能だったＰＡＭ４信号をキャプチャして各電圧範囲ごとにエラーがあるシンボルをカウントして各電圧範囲ごとのエラー量を数値で確認することができる。その結果、ユーザは、このエラーカウント機能を用いることで被測定物のエラーの偏りを容易に把握できるようになり、デバッグしやすくなる。
【００７４】
また、全体の振幅電圧範囲で連続するエラーがあるシンボルもカウントして数値表示するので、ＰＡＭ４信号のシンボルに連続でエラーが挿入された場合に、連続するエラーの発生箇所を把握することができる。その結果、連続するエラーが発生しているか否かの判断が容易で原因調査とデバッグしやすくなり、視覚的にどのようにエラーが挿入されているか把握することができる。
【００７５】
以上、本発明に係るデータ表示装置及びエラーカウント方法の最良の形態について説明したが、この形態による記述および図面により本発明が限定されることはない。すなわち、この形態に基づいて当業者等によりなされる他の形態、実施例および運用技術などはすべて本発明の範疇に含まれることは勿論である。
【符号の説明】
【００７６】
１  データ表示装置
１Ａ  誤り率測定装置
２  信号発生器
２ａ  第１信号発生部
２ｂ  第２信号発生部
２ｃ  信号合成出力部
３  誤り検出器
３ａ  信号受信部
３ｂ  同期検出部
３ｃ  位置情報記憶部
３ｄ  シンボル比較部
３ｅ  比較結果データ記憶部
４  操作部
５  記憶部
６  表示部
６ａ  キャプチャ画面
７  制御部
７ａ  エラーカウント手段
７ｂ  表示制御手段
１１，１２，１３，２０，２２，２３，２４  入力ボックス
１４，１５，１６，１７，１８，１９  チェックボックス
２１  虫眼鏡ボタン
２５，２６，２７，２８，３１，３２，３３，３４  ソフトキー
２９  データ表示領域
３０  スクロールバー
３５，３６，３７，３８，３９  表示ボックス
Ｗ  被測定物
【図１】
0006951399.tif 000002
【図２】
0006951399.tif 000003
【図３】
0006951399.tif 000004
【図４】
0006951399.tif 000005
【図５】
0006951399.tif 000006
【図６】
0006951399.tif 000007